(57)【要約】      （修正有）【課題】都市ゴミ焼却灰が貯蔵されたコンテナ内において水素濃度が上昇することを抑制し得る都市ゴミ焼却灰の貯蔵方法の提供。【解決手段】都市ゴミ焼却灰を再資源化する際に、都市ゴミ焼却灰を再資源化する施設まで都市ゴミ焼却灰を運搬又は貯蔵するにあたって、都市ゴミ焼却灰の飛散や漏洩を防止する為に密閉型のコンテナ内で貯蔵されるが、その際、コンテナ内の水素濃度の上昇を抑制するために、コンテナ内に水素酸化細菌を存在させることにより、都市ゴミ焼却灰を貯蔵する。前記水素酸化細菌は都市ゴミ焼却灰と混合しておくも良いが、好ましくは少なくも焼却灰の表層に水素酸化細菌を配する、又は好ましくは、コンテナ内の焼却灰よりも上方の位置する部分に、水素酸化細菌を回定する、都市ゴミ焼却灰の貯蔵方法。【選択図】なし【特許請求の範囲】
【請求項１】
都市ゴミ焼却灰のコンテナを用いた貯蔵方法であって、
前記コンテナ内に水素酸化細菌を存在させて都市ゴミ焼却灰を貯蔵する、都市ゴミ焼却灰の貯蔵方法。
【請求項２】
前記コンテナを屋内に配する、請求項１に記載の都市ゴミ焼却灰の貯蔵方法。
【請求項３】
前記水素酸化細菌と都市ゴミ焼却灰とを混合しておく、請求項１又は２に記載の都市ゴミ焼却灰の貯蔵方法。
【請求項４】
前記コンテナ内の都市ゴミ焼却灰の少なくとも表層に、前記水素酸化細菌を配する、請求項１又は２に記載の都市ゴミ焼却灰の貯蔵方法。
【請求項５】
前記コンテナの内壁のうち、前記都市ゴミ焼却灰よりも上方に位置する部分に、前記水素酸化細菌を固定する、請求項１又は２に記載の都市ゴミ焼却灰の貯蔵方法。
【発明の詳細な説明】
【技術分野】
【０００１】
本発明は、都市ゴミ焼却灰の貯蔵方法に関する。
【背景技術】
【０００２】
都市ゴミ焼却灰を再資源化する際、都市ゴミ焼却灰を再資源化する施設まで都市ゴミ焼却灰を運搬する必要がある。また、都市ゴミ焼却灰を一時的に貯留する必要がある場合がある。この場合、都市ゴミ焼却灰をコンテナなどを用いて運搬、貯蔵することがある。
【先行技術文献】
【特許文献】
【０００３】
【特許文献１】特開２００６−２７３４１２号公報
【発明の概要】
【発明が解決しようとする課題】
【０００４】
ところで、特許文献１には、都市ゴミ焼却灰などの廃棄物から、水素が発生する虞があることが記載されている。このため、コンテナ内に都市ゴミ焼却灰配して、運搬したり、貯蔵したりした場合に、コンテナ内の水素濃度が高くなる虞や、コンテナが配された空間（例えば、船倉、倉庫等）にコンテナから水素が流出し、その空間において水素濃度が高くなる虞がある。従って、都市ゴミ焼却灰が貯蔵されたコンテナ内において水素濃度が高くなることを抑制したいという要望がある。
【０００５】
本発明の主な目的は、都市ゴミ焼却灰が貯蔵されたコンテナ内において水素濃度が上昇することを抑制し得る都市ゴミ焼却灰の貯蔵方法を提供することにある。
【課題を解決するための手段】
【０００６】
本発明に係る都市ゴミ焼却灰の貯蔵方法は、都市ゴミ焼却灰のコンテナを用いた貯蔵方法である。本発明に係る都市ゴミ焼却灰の貯蔵方法では、コンテナ内に水素酸化細菌を存在させて都市ゴミ焼却灰を貯蔵する。
【０００７】
本発明に係る都市ゴミ焼却灰の貯蔵方法では、コンテナを屋内に配していてもよい。
【０００８】
本発明に係る都市ゴミ焼却灰の貯蔵方法では、水素酸化細菌と都市ゴミ焼却灰とを混合しておいてもよい。
【０００９】
本発明に係る都市ゴミ焼却灰の貯蔵方法では、コンテナ内の都市ゴミ焼却灰の少なくとも表層に、水素酸化細菌を配することが好ましい。
【００１０】
本発明に係る都市ゴミ焼却灰の貯蔵方法では、コンテナの内壁のうち、都市ゴミ焼却灰よりも上方に位置する部分に、水素酸化細菌を固定してもよい。
【発明の効果】
【００１１】
本発明によれば、都市ゴミ焼却灰が貯蔵されたコンテナ内において水素濃度が上昇することを抑制し得る都市ゴミ焼却灰の貯蔵方法を提供することができる。
【発明を実施するための形態】
【００１２】
以下、本発明を実施した好ましい形態の一例について説明する。但し、下記の実施形態は、単なる例示である。本発明は、下記の実施形態に何ら限定されない。
【００１３】
本実施形態における都市ゴミ焼却灰の貯蔵方法は、コンテナを用いた都市ゴミ焼却灰の貯蔵方法に関する。都市ゴミ焼却灰を再資源化する際に、都市ゴミ焼却灰を再資源化する施設まで都市ゴミ焼却灰を運搬する必要がある場合がある。都市ゴミ焼却灰の運搬手段としてはトラック、鉄道及び船等が用いられるが、いずれの場合も都市ゴミ焼却灰の飛散や漏洩を防止する為に密閉型のコンテナが多用される。
【００１４】
また、都市ゴミ焼却灰をコンテナを用いて一時的に貯蔵したい場合もある。
【００１５】
ところで、都市ゴミ焼却灰を輸送する際は輸送途中の飛散や荷卸しによる発塵を防止するため、都市ゴミ焼却灰を予め水で湿らせることが多い。金属アルミニウムが含まれている場合は、金属アルミニウムと水とが反応し、水素が発生する場合がある。従って、都市ゴミ焼却灰をコンテナ内に貯蔵した場合は、コンテナ内の水素濃度が高くなる虞がある。
【００１６】
また、例えば、都市ゴミ焼却灰が貯蔵されたコンテナを船倉、倉庫等の屋内に載置した場合、コンテナから放出される水素により、屋内の水素濃度が上昇する虞もある。
【００１７】
そこで、本実施形態では、コンテナ内に水素酸化細菌を存在させて都市ゴミ焼却灰を貯蔵する。このため、コンテナ内で水素が発生したとしても、水素酸化細菌が水素を酸化させて水を生成させるため、コンテナ内の水素が消費される。よって、コンテナ内において水素濃度が高くなることを抑制することができる。
【００１８】
水素酸化細菌とは、遊離の水素を酸化し、その反応によって生じるエネルギーを利用して、炭酸同化を行う細菌の総称である。
【００１９】
グラム陰性菌に分類される水素酸化細菌としては、例えば、Ａｌｃａｌｉｇｅｎｅｓ  ｅｕｔｒｏｐｈｕｓ、Ａｌｃａｌｉｇｅｎｅｓ  ｈｙｄｒｏｇｅｎｏｐｈｉｌｕｓ、Ａｌｃａｌｉｇｅｎｅｓ  ｒｕｈｌａｎｄｉｉ、Ａｌｃａｌｉｇｅｎｅｓ  ｌａｔｕｓ、Ａｌｃａｌｉｇｅｎｅｓ  ｐａｒａｄｏｘｕｓ、Ａｑｕａｓｐｉｒｉｌｌｕｍ  ａｕｔｏｔｒｏｐｈｉｃｕｍ、Ａｚｏｓｐｉｒｉｌｌｕｍ  ｌｉｐｏｆｅｒｕｍ、Ｃａｌｄｅｒｏｂａｃｔｅｒｉｕｍ  ｈｙｄｒｏｇｅｎｏｐｈｉｌｕｍ、Ｄｅｒｘｉａ  ｇｕｍｍｏｓａ、Ｆｌａｖｏｂａｃｔｅｒｉｕｍ  ａｕｔｏｔｈｅｒｍｏｐｈｉｌｕｍ、Ｈｙｄｒｏｇｅｎｏｂａｃｔｅｒ  ｔｈｅｒｍｏｐｈｉｌｕｓ、Ｍｉｃｒｏｃｙｃｌｕｓ  ａｑｕａｔｉｃｕｓ、Ｍｉｃｒｏｃｙｃｌｕｓ  ｅｂｒｕｎｅｕｓ、Ｐａｒａｃｏｃｃｕｓ  ｄｅｎｉｔｒｉｆｉｃａｎｓ、Ｐｓｅｕｄｏｍｏｎａｓ  ｆａｃｉｌｉｓ、Ｐｓｅｕｄｏｍｏｎａｓ  ｆｌａｖａ、Ｐｓｅｕｄｏｍｏｎａｓ  ｐｓｅｕｄｏｆｌａｖａ、Ｐｓｅｕｄｏｍｏｎａｓ  ｈｙｄｒｏｇｅｎｏｖｏｒａ、Ｐｓｅｕｄｏｍｏｎａｓ  ｈｙｄｒｏｇｅｎｏｔｈｅｒｍｏｐｈｉｌａ、Ｐｓｅｕｄｏｍｏｎａｓ  ｐａｌｌｅｒｏｎｉｉ、Ｐｓｅｕｄｏｍｏｎａｓ  ｔｈｅｒｍｏｐｈｉｌｅ、Ｐｓｅｕｄｏｍｏｎａｓ  ｓａｃｃｈａｒｏｐｈｉｌａ、Ｒｅｎｏｂａｃｔｅｒ  ｖａｃｕｏｌａｔｕｍ、Ｒｈｉｚｏｂｉｕｍ  ｊａｐｏｎｉｃｕｍ、Ｘａｎｔｈｏｂａｃｔｅｒ  ａｕｔｏｔｒｏｐｈｉｃｕｓ、Ｘａｎｔｈｏｂａｃｔｅｒ  ｆｌａｏｕｓ等が挙げられる。
【００２０】
グラム陽性菌に分類される水素酸化細菌としては、例えば、Ａｒｔｈｒｏｂａｃｔｅｒ  ｓｐｐ．、Ｂａｃｉｌｌｕｓ  ｓｃｈｌｅｇｅｌｉｉ、Ｂａｃｉｌｌｕｓ  ｔｕｓｃｉａｅ、Ｍｙｃｏｂａｃｔｅｒｉｕｍ  ｇｏｒｄｏｎａｅ、Ｎｏｃａｒｄｉａ  ａｕｔｏｔｒｏｐｈｉｃａ、Ｎｏｃａｒｄｉａ  ｏｐａｃａ等が挙げられる。
【００２１】
上記水素酸化細菌のうち、一種のみを用いてもよいし、複数種類を混合して用いてもよい。
【００２２】
なお、水素酸化細菌にはそれぞれの細菌毎の最適育成温度が存在するので、コンテナ内の温度をその最適育成温度付近に維持することが好ましい。
【００２３】
都市ゴミ焼却灰に対する水素酸化細菌の添加量は、都市ゴミ焼却灰１ｔに対して、０．５ｋｇ〜１５ｋｇであることが好ましく、１ｋｇ〜５ｋｇであることがさらに好ましい。
【００２４】
上述の通り、本実施形態のように、コンテナ内に水素酸化細菌を存在させて都市ゴミ焼却灰を貯蔵することにより、コンテナ内の水素濃度の上昇を抑制できるため、船倉、倉庫等の屋内にコンテナを載置した場合は、屋内の水素濃度の上昇を抑制できる。
【００２５】
なお、コンテナ内における水素酸化細菌の存在形態は、特に限定されず、水素酸化細菌は、発生した水素と接触する箇所である限りにおいて、コンテナ内のどこに存在していてもよい。
【００２６】
例えば、コンテナに投入する前に、あらかじめ水素酸化細菌と都市ゴミ焼却灰とを混合しておいてもよい。
【００２７】
また、例えば、コンテナ内の都市ゴミ焼却灰の少なくとも表層に、水素酸化細菌を配してもよい。この場合、比重の低い水素が都市ゴミ焼却灰内の空隙内を通過して上昇したとしても、都市ゴミ焼却灰の表層に配された水素酸化細菌が水素と接触することにより、発生した水素が酸化される。従って、水素と水素酸化細菌との接触効率が高くなる。その結果、水素濃度が上昇することがより効果的に抑制される。また、コンテナ内の都市ゴミ焼却灰の表層に、水素酸化細菌を配した場合は、都市ゴミ焼却灰全体に対して水素酸化細菌を混合した場合よりも、水素酸化細菌の添加量を少なくし得る。
【００２８】
同様の観点から、コンテナの内壁のうち、都市ゴミ焼却灰よりも上方に位置する部分に水素酸化細菌を固定してもよい。